(57)【要約】【課題】発光管の各部を適切に冷却して発光管周辺の温度分布を均一に保ち、発光管の失透や黒化を防止して光源装置の長寿命化を図ること。【解決手段】光源装置１の冷却構造は、ハウジング１７に具備される送風口１７１、排気口１７３、及び整流板１７４と、冷却ファン１７５とによって構成される。そして、冷却ファン１７５によって発生する冷却用空気は、ハウジング１７底面の送風口１７１から導入され、ハウジング１７上面の整流板１７４に向けて流通するが、このとき、冷却用空気は、発光部１１１から延びる第２封止部１１３の先端より外側を流通し、第２封止部１１３を直接冷却しないようになっている。そして、整流板１７４によってリフレクタ１３の内側に導かれてランプ本体１１上側の各部を冷却した後、リフレクタ１３の楕円カーブに沿ってランプ本体１１の下部に導かれ、排気口１７３から排気される。【選択図】図２
2008250287.tif 000002
【特許請求の範囲】
【請求項１】
光源光を射出する発光管と、前記発光管から射出された光源光を反射するリフレクタと、前記リフレクタを保持する保持部とを備えた光源装置であって、
前記保持部は、冷却用空気を装置内部の前記発光管の光射出側に導入する送風口と、前記送風口側から供給され前記発光管の光射出側を経た冷却用空気を前記発光管の上部に向けて流通させる第１の整流部とを備える光源装置。
【請求項２】
前記発光管は、発光部と、前記発光部の両側に延びる封止部とを含み、
前記送風口は、装置内部に導入する冷却用空気を、前記発光管の光射出側に向けて流通させる第２の整流部を備える請求項１に記載の光源装置。
【請求項３】
前記リフレクタは、楕円曲面の反射面を備えて構成される請求項１及び請求項２の何れか一項に記載の光源装置。
【請求項４】
前記リフレクタの反射面に対向して配置され、前記発光管から射出された光束の一部を前記発光管に向けて反射させる副反射鏡を備える請求項１から請求項３までの何れか一項に記載の光源装置。
【請求項５】
前記保持部は、前記発光管の側方位置に、冷却用空気を排気する排気口を備える請求項１から請求項４までの何れか一項に記載の光源装置。
【請求項６】
前記第１の整流部は前記発光管の上側に配置され、前記送風口は前記発光管の下側の前記第１の整流部と対向する位置に配置される請求項１から請求項５までの何れか一項に記載の光源装置。
【請求項７】
前記第１の整流部は、前記保持部の内壁に形成される曲面又は傾斜面である請求項１から請求項６までの何れか一項に記載の光源装置。
【請求項８】
前記保持部は、前記送風口を複数有し、当該複数の送風口を開閉することにより冷却用空気の流れを切り替える切替装置を備える、請求項１から請求項５までの何れか一項に記載の光源装置。
【請求項９】
前記切替装置は、前記複数の送風口のそれぞれを開閉するために対向して配置される複数の開閉シャッターを有し、前記複数の開閉シャッターのうち前記発光管の下側となる開閉シャッターを開放するとともに前記発光管の上側となる開閉シャッターを閉塞して冷却用空気の流れを切り替える、請求項８に記載の光源装置。
【請求項１０】
前記切替装置は、前記複数の送風口を開閉するためのシャッターリングを有し、前記シャッターリングの回転動作により、前記シャッターリングに設けられた開口を前記複数の送風口のうち前記発光管の下側となる送風口に対応させて配置することにより冷却用空気の流れを切り替える、請求項８に記載の光源装置。
【請求項１１】
前記シャッターリングは、前記開口を複数有し、当該複数の開口を前記発光管の下側となる送風口と冷却用空気の排気のための通気口とに対応させて配置する、請求項１０に記載の光源装置。
【請求項１２】
前記冷却用空気の排気のための通気口は、前記発光管の側方位置に、冷却用空気を排気する排気口である、請求項１１記載の光源装置。
【請求項１３】
請求項１から請求項１２までの何れか一項に記載の光源装置を備え、当該光源装置から射出される光源光を画像情報に応じて変調して像光を形成するプロジェクタ。
【請求項１４】
冷却用空気を発生させて前記保持部に導入する冷却ファン装置をさらに備える、請求項１３に記載のプロジェクタ。
【請求項１５】
前記冷却ファン装置は、シロッコファンを有する、請求項１４に記載のプロジェクタ。
【請求項１６】
前記冷却ファン装置は、前記複数の送風口に対応して複数配置される、請求項１４及び請求項１５に記載のプロジェクタ。
【発明の詳細な説明】
【技術分野】
【０００１】
本発明は、光源装置及び当該光源装置を用いたプロジェクタに関する。
【背景技術】
【０００２】
光源から射出された光源光を変調して画像を形成し、形成した画像をスクリーン等に投射するプロジェクタが知られている。このプロジェクタにおいて、内部に一対の電極を有する発光部と、発光部の両側に延びる封止部（シール部）とを含む発光管と、発光管から射出された光を反射する反射鏡であるリフレクタとを備えた光源装置が用いられている。
【０００３】
また、本構成の光源装置において、発光管の発熱分布を考慮した冷却構造を組み込むことにより発光管の失透や黒化を防止し、光源装置の長寿命化を図ったものがある。例えば、光源装置の内部に冷却用の空気を導入し、導入した空気を、凹レンズの凹面を利用してリフレクタの内部に流入させることにより、発光管の周辺を冷却する技術が知られている（特許文献１参照。）。或いは、リフレクタに送風口を設け、送風口から導入した空気を発光管の上部から下部へ回り込むように送り込む構成の冷却構造が知られている(特許文献２参照)。
【特許文献１】特開２００５−７０２１６号公報
【特許文献２】特開２００４−３４２５９９号公報
【発明の開示】
【発明が解決しようとする課題】
【０００４】
しかしながら、上記の特許文献１又は特許文献２の技術では、発光管を構成する封止部を通過するように光源装置内に導入される冷却用の空気の流路が形成されているが、形成される流路によっては、発光管を部分的に冷却してしまい、発光管周辺の温度分布が均一に保たれないという問題があった。このため、ハロゲンサイクルを効率よく行わせることができず、発光管の失透や黒化を引き起こす要因となり、冷却構造として不十分であった。また、特許文献２に開示されている冷却構造では、リフレクタを加工し、開口を設けて送風口を形成する必要があった。
【０００５】
また、上記実施形態では、例えば天吊りが可能なタイプのプロジェクタに用いる場合のように、光源装置を上下反転させる使用において、光源装置内の冷却を適切な状態とすることができなかった。
【０００６】
本発明は、上記した従来の問題点に鑑み為されたものであり、発光管の各部を適切に冷却して発光管周辺の温度分布を均一に保ち、発光管の失透や黒化を防止して光源装置の長寿命化を図ることを目的とする。また、上下反転等させた場合においても適切に冷却を行い光源装置の長寿命化を図ることを目的とする。
【課題を解決するための手段】
【０００７】
上記課題を解決するため、本発明に係る光源装置は、光源光を射出する発光管と、前記発光管から射出された光源光を反射するリフレクタと、前記リフレクタを保持する保持部とを備えた光源装置であって、前記保持部は、冷却用空気を装置内部の発光管の光射出側に導入する送風口と、送風口側から供給され発光管の光射出側を経た冷却用空気を前記発光管の上部に向けて流通させる第１の整流部とを備える。ここで、発光管の光射出側とは、発光管に対してリフレクタの反対側に延在する空間に限らず、発光管のうちリフレクタの反対側である光射出側部分の周辺空間を含む概念である。
【０００８】
上記光源装置によれば、送風口から導入した冷却用空気が発光管のうち特に発光部を直接冷却しないように、第１の整流部まで流通させることができる。また、第１の整流部によって、冷却用空気を発光管の上部に向けて流通させることができる。発光管の発熱分布は一様ではなく、上部がより高温となり、下部がより低温となるが、本構成によれば、先ず、高温部である発光管の上部に冷却用空気を流通させ、これにより暖められた冷却用空気を低温部である発光管の下部に流通させることができ、発光管の上部と下部との温度差を低減させることができる。したがって、発光管の各部を適切に冷却して発光管周辺の温度分布を均一にすることができるので、ハロゲンサイクルを効率よく行わせて発光管の失透や黒化を防止し、光源装置の寿命を延ばすことができる。
【０００９】
また、本発明のさらに別の態様では、前記発光管は、発光部と、前記発光部の両側に延びる封止部とを含み、前記送風口は、装置内部に導入する冷却用空気を、前記発光管の光射出側すなわち外側に向けて流通させる第２の整流部を備える。これにより、送風口から導入した冷却用空気が発光管の両側に延びる封止部のうち光射出側の封止部を冷却しながら、第１の整流部まで流通させることができる。
【００１０】
また、本発明のさらに別の態様では、前記第１の整流部は、前記保持部の内壁に形成される曲面又は傾斜面である。これにより、保持部の内壁に形成される曲面又は傾斜面を利用して、冷却用空気を発光管の上部に流通させることができる。
【００１１】
また、本発明のさらに別の態様では、前記リフレクタの反射面に対向して配置され、前記発光管から射出された光束の一部を前記発光管に向けて反射させる副反射鏡を備える。これによれば、第１の整流部によって発光管の上部に向けて流通させた冷却用空気によって、副反射鏡周辺を冷却して温度を低下させることができる。
【００１２】
また、本発明のさらに別の態様では、前記保持部は、前記発光管の側方位置に、冷却用空気を排気する排気口を備える。これにより、発光管の上部から下部に流通した冷却用空気を、発光管の側方から効率良く排気させることができる。
【００１３】
また、本発明の具体的な態様によれば、前記第１の整流部は前記発光管の上側に配置され、前記送風口は前記発光管の下側の前記第１の整流部と対向する位置に配置される。これにより、発光管の下側から導入した冷却用空気を発光管の上側に流通させ、発光管の上部に導くことができる。
【００１４】
また、本発明のさらに別の態様では、前記リフレクタは、楕円曲面の反射面を備えて構成される。これにより、楕円曲面の反射面を備えたリフレクタを用いた光源装置では、発光管からの光束が楕円曲面の所定の焦点位置に収束する光束となって射出されるため、かかる収束光束周辺のスペースを利用して発光管の各部を冷却する構造を組み込むことができる。
【００１５】
また、本発明の別の具体的な態様では、前記保持部は、前記送風口を複数有し、当該複数の送風口を開閉することにより冷却用空気の流れを切り替える切替装置を備える。この場合、切替装置により、光源装置の使用態様に応じて用いる送風口を選択して冷却用空気の流れを切り替えることができる。
【００１６】
また、本発明のさらに別の態様では、前記切替装置は、前記複数の送風口のそれぞれを開閉するために対向して配置される複数の開閉シャッターを有し、前記複数の開閉シャッターのうち前記発光管の下側となる開閉シャッターを開放するとともに前記発光管の上側となる開閉シャッターを閉塞して冷却用空気の流れを切り替える。この場合、複数の開閉シャッターのうち発光管の下側に位置する開閉シャッターから導入した冷却用空気を先ず発光管の上部に流通させ、温まった冷却用空気を発光管の下部側に導くことができる。
【００１７】
また、本発明のさらに別の態様では、前記切替装置は、前記複数の送風口を開閉するためのシャッターリングを有し、前記シャッターリングの回転動作により、前記シャッターリングに設けられた開口を前記複数の送風口のうち前記発光管の下側となる送風口に対応させて配置することにより冷却用空気の流れを切り替える。この場合、シャッターリングの開口を発光管の下側となる送風口に対応させることにより、当該送風口及び開口を経ることで先ず冷却用空気を発光管の上部に流通させ、温まった冷却用空気を発光管の下部側に導くことができる。
【００１８】
また、本発明のさらに別の態様では、前記シャッターリングは、前記開口を複数有し、当該複数の開口を前記発光管の下側となる送風口と冷却用空気の排気のための通気口とに対応させて配置する。これにより、シャッターリングにより、送風口から冷却用空気を装置内部に導入させるとともに、通気口から冷却用空気を装置外部へ排気させることが可能となる。
【００１９】
また、本発明のさらに別の態様では、前記冷却用空気の排気のための通気口は、前記発光管の側方位置に、冷却用空気を排気する排気口である。これにより、発光管の上部から下部に流通した冷却用空気を、発光管の側方から効率良く排気させることができる。
【００２０】
また、本発明に係るプロジェクタは、上記構成の光源装置を備え、当該光源装置から射出される光源光を画像情報に応じて変調して像光を形成するプロジェクタである。これによれば、寿命の長い光源装置を組み込んだプロジェクタが実現できる。
【００２１】
また、本発明のさらに別の態様では、冷却用空気を発生させて前記保持部に導入する冷却ファン装置をさらに備える。これにより、前記保持部を経て発光管の各部を冷却するための冷却用空気を発生させることができる。
【００２２】
また、本発明のさらに別の態様では、前記冷却ファン装置は、シロッコファンを有する。この場合、冷却ファンを比較的小型にしやすく、光学装置の光路を遮らない位置に配置しやすい。
【００２３】
また、本発明のさらに別の態様では、前記冷却ファン装置は、前記複数の送風口に対応して複数配置される。これにより、より効果的な冷却を行うことができる。
【発明を実施するための最良の形態】
【００２４】
〔第１実施形態〕
図１は、本実施形態に係る光源装置の内部構成を説明する断面図である。本光源装置１は、放電発光型の発光管であるランプ本体１１と、ランプ本体１１から射出された光源光を反射する楕円型のリフレクタ１３と、リフレクタ１３で反射された光源光をコリメートする凹レンズ１５とを含む。この光源装置１において、ランプ本体１１から射出された光源光は、リフレクタ１３及び凹レンズ１５を経て平行化され、前方側に射出される。また、ランプ本体１１は、リフレクタ１３に支持されてリフレクタ１３とともにランプ装置を構成しており、リフレクタ１３と凹レンズ１５とは、保持部の一例であるハウジング１７（構造の詳細については後述）にアライメントされた状態で固定されている。
【００２５】
ランプ本体１１は、中央部が球状に膨出した石英ガラス管から構成され、中央部分が発光部１１１、この発光部１１１の両側に延びる部分が第１及び第２封止部１１２，１１３となっている。このランプ本体１１には、メタルハライドランプ、高圧水銀ランプ、超高圧水銀ランプ等の放電発光型ランプが採用されている。
【００２６】
発光部１１１の内部には、所定距離で離間配置される一対のタングステン製の電極１１４，１１５の先端部と、水銀、希ガス、ハロゲン等を含むガスとが封入されている。一方、各封止部８３，８４の内部には、発光部１１１に設けた電極１１４，１１５の根元側と電気的に接続されるモリブデン製の金属箔１１６ａ，１１６ｂが挿入され、両封止部８３、８４の先端部は、ガラス材料等で封止されている。そして、この金属箔１１６ａ，１１６ｂに接続されたリード線１１７ａ，１１７ｂに電圧を印加すると、一対の電極１１４，１１５間でアーク放電が生じ、発光部１１１が高輝度で発光する。
【００２７】
ランプ本体１１の発光部１１１のうち光射出方側すなわち前方側の略半分は、副反射鏡１１８によって覆われている。この副反射鏡１１８は、ランプ本体１１の発光部１１１から前方に放射された光束を発光部１１１に戻す副反射部１１９と、この副反射部１１９の根元部を支持した状態で第２封止部１１３の周囲に固定される支持部１２０とを備える。ここで、副反射部１１９の内側ガラス面は、発光部１１１の表面に倣う略球面の凹曲面状に加工され、その表面上に反射面が形成されている。また、支持部１２０は、第２封止部１１３を挿通させるとともに、第２封止部１１３との隙間に無機系接着剤ＭＢを充填することによって副反射部１１９を発光部１１１に対してアライメントした状態で固定可能にしている。
【００２８】
リフレクタ１３は、ランプ本体１１の第１封止部１１２が挿通される首状部１３１と、この首状部１３１から拡がる楕円曲面状の主反射部１３２とを備えた結晶化ガラスなどの耐熱性部材による一体成形品である。首状部１３１は、第１封止部１１２を挿通させるとともに、第１封止部１１２との隙間に無機系接着剤ＭＢを充填することによって主反射部１３２を発光部１１１に対してアライメントした状態で固定可能にしている。また、主反射部１３２の内側ガラス面は、楕円曲面状に加工され、その表面上に反射面が形成されている。
【００２９】
上記構成の光源装置１において、ランプ本体１１は、主反射部１３２の回転対称軸と一致するシステム光軸ＯＡに沿って配置されるとともに、発光部１１１内の電極１１４，１１５間の発光中心Ｏが主反射部１３２の楕円曲面の第１焦点Ｆ１位置となるように配置される。ランプ本体１１を点灯した場合、発光部１１１から放射された光束は主反射部１３２で反射され、或いは副反射部８９を経て主反射部１３２で反射され、楕円曲面の第２焦点Ｆ２位置に収束する光束となる。
【００３０】
また、本実施形態の光源装置１は、内部に冷却用の空気（冷却用空気）を導入し、ランプ本体１１の各部を冷却する冷却構造を備える。図２は、この冷却構造を説明するための説明図であり、図２（ａ）は光源装置１を光射出側すなわち前方からみて左側の概略側面図、図２（ｂ）は概略底面図である。
【００３１】
図２に示すように、光源装置１は、リフレクタ１３及び凹レンズ１５を固定するためのハウジング１７を含む。このハウジング１７の底面には、ランプ本体１１の下側となる位置に、ハウジング１７の内部と外部とを連通する送風口１７１が形成されている。また、光射出側すなわち前方から見て左側の側面には、ランプ本体１１の側方位置に、ハウジング１７の内部と外部とを連通する排気口１７３が形成されている。一方、ハウジング１７上面の内壁には、送風口１７１と対向する位置にこの送風口１７１から導入される冷却用空気を整流する第１の整流部である整流板１７４が配置されている。
【００３２】
そして、光源装置１の冷却構造は、ハウジング１７に具備される送風口１７１、排気口１７３、及び整流板１７４のほか、送風口１７１を介して光源装置１の内部に冷却用空気を送り込む冷却ファン１７５によって構成される。送風口１７１は、光源装置１の内部に冷却用空気を導入する。この送風口１７１は、冷却ファン１７５によって発生する冷却用空気の風向を調整する第２の整流部であるルーバ１７２を備え、冷却用空気が整流板１７４に向けて流通するように風向きが予め設定される。整流板１７４は、図２（ａ）に示すように、ハウジング１７上面の内壁を形成する曲面に沿って湾曲され、整流板１７４に向かう冷却用空気の風向方向に対して、接線方向が所定角度傾斜するように構成される。この整流板１７４は、送風口１７１から導入された冷却用空気の流路をそれ自身の曲面形状によってランプ本体１１の方向に流通させ、冷却用空気をリフレクタ１３の内側に導く。
【００３３】
図３は、光源装置１の概略側面図であり、前述の冷却構造によって導入される冷却用空気の流路を矢印により示している。図３に示すように、冷却ファン１７５によって発生する冷却用空気は、ハウジング１７底面の送風口１７１から導入され、ルーバ１７２によってハウジング１７上面の整流板１７４に向けて流通するが、このとき、冷却用空気は、先ず、発光部１１１から延びる第２封止部１１３を流通し、第２封止部１１３を冷却する。そして、整流板１７４に到達した冷却用空気は、リフレクタ１３の内側に導かれてランプ本体１１上側の各部を冷却する。また、リフレクタ１３の内部に導かれた冷却用空気のうちの一部が副反射鏡１１８の周辺に流通し、副反射鏡１１８周辺の各部を冷却する。また、ランプ本体１１の上部を冷却した冷却用空気は、リフレクタ１３の楕円カーブに沿ってランプ本体１１の下部に導かれ、排気口１７３から排気される。
【００３４】
この冷却構造によって、ハウジング１７の底面から導入された冷却用空気は、第２封止部１１３を冷却した後にランプ本体１１の上部に導かれ、ランプ本体１１の下部に流通して排気口１７３から排気される。これによれば、先ず、高温部であるランプ本体１１の上部に冷却用空気を流通させ、これにより暖められた冷却用空気を低温部であるランプ本体１１の下部に流通させることができる。また、リフレクタ１３の内部に導かれた冷却用空気のうちの一部を副反射鏡１１８の周辺に流通させることができる。したがって、ランプ本体１１上側の各部を十分に冷却して温度を低下させるとともに、ランプ本体１１下側の各部の過度の温度低下を抑制できるので、ランプ本体１１上部と下部との温度差を低減しつつランプ本体１１全体を適切に冷却することができる。これにより、ハロゲンサイクルを効率よく行わせてランプ本体１１の発光部１１１の失透や黒化を防止することができ、光源装置１の長寿命化が実現できる。
【００３５】
また、送風口１７１からの冷却用空気を一旦整流板１７４に向けて流通させ、整流板１７４によってランプ本体１１の上部に向けて流通させる構成としたので、ランプ本体１１上側の各部を冷却し過ぎず適切な冷却が実現できる。さらに、ハウジング１７に開口を形成して冷却用空気を導入する送風口１７１を設けたので、リフレクタ１３に冷却用空気を導入するための開口を形成する必要がない。
【００３６】
なお、上記した光源装置１では、ハウジング１７上部の内壁の曲面形状に沿って湾曲させた整流板１７４によって、冷却用空気を整流してリフレクタ１３の内部に導くこととしたが、以下のような変形例も可能である。
【００３７】
図４は、ハウジング４０１の構成の変形例を説明する図である。図４（ａ）に示す例では、ハウジング４０１の上面内壁において、送風口１７１から導入される冷却用空気の風向方向と対向する位置に、所定の傾斜角度を有する傾斜面４０４が形成されており、この傾斜面４０４の表面に整流板４０５が固定されるように配置される。そして、この整流板４０５によって、送風口１７１から導入された冷却用空気の流路をランプ本体１１の方向に流通させ、冷却用空気をリフレクタ１３の内側に導く。また、図４（ｂ）に示す例では、ハウジング４１１の上面内壁が、ハウジング４１１の底面に対して所定の傾斜角度を有するように形成されており、この内壁に沿って整流板４１５が傾斜して配置される。そして、この整流板４１５によって、送風口１７１から導入された冷却用空気の流路をランプ本体１１の方向に流通させ、冷却用空気をリフレクタ１３の内側に導く。
【００３８】
或いは、以下のようにしてもよい。図５は、この場合のハウジング４３１の構成を示す図である。図５に示す例では、ハウジング４３１の入射側の側面に開口部４３８が形成されており、この開口部４３８にリフレクタ１３の端部１３ａが挿入されて保持される。また、ハウジング４３１上面の内壁が、リフレクタ１３の端部１３ａの曲率に応じた湾曲状に形成されており、ハウジング４３１内部の上側の空間が、開口部４３８を介してリフレクタ１３の端部１３ａと連通する構成となっている。そして、この内壁に沿って整流板４３５が湾曲されて配設されている。これによれば、整流板４３５に流通された冷却用空気を確実にリフレクタ１３の内部に導き、発光管の上部に流通させることができる。
【００３９】
また、上記した第１実施形態では、ランプ本体１１の下側に送風口１７１を配置し、ランプ本体１１の上側の送風口１７１と対向する位置に整流板１７４を配置した場合について説明したが、以下のようにしてもよい。図６は、光源装置の冷却構造の変形例を説明する図であり、光源装置の概略正面図である。本変形例では、ハウジング４２１の底面には、ハウジング４２１の内側と外側とを連通する２つの送風口４２１ａ，４２１ｂが形成されており、ハウジング４２１上面の内壁には、送風口４２１ａ，４２１ｂと対向する位置に、それぞれ送風口４２１ａ，４２１ｂから導入される冷却用空気を整流する整流板４２５ａ，４２５ｂが配置されている。また、光射出側から見て左側の側面及び右側の側面には、それぞれハウジング４２１の内部と外部とを連通する排気口４２３ａ，４２３ｂが形成されている。
【００４０】
そして、本変形例の冷却構造は、ハウジング４２１に具備される送風口４２１ａ，４２１ｂ、排気口４２３ａ，４２３ｂ、及び整流板４２５ａ，４２５ｂのほか、送風口４２１ａ，４２１ｂを介して光源装置１の内部にそれぞれ冷却用空気を送り込む冷却ファン４２７ａ，４２７ｂによって構成される。そして、図６中の矢印Ａ１０で示すように、冷却ファン４２７ａによって導入される冷却用空気は、ハウジング４２１底面の送風口４２１ａから導入され、対向するハウジング４２１上面の整流板４２５ａに向けて流通される。そして、整流板４２５ａによってランプ本体１１の上部に流通して各部を冷却した後、ランプ本体１１の下部周辺に導かれて、排気口４２３ａから排気される。同様にして、図６中の矢印Ａ２０で示すように、冷却ファン４２７ｂによって導入される冷却用空気は、ハウジング４２１底面の送風口４２１ｂから導入され、対向するハウジング４２１上面の整流板４２５ｂに向けて流通される。そして、整流板４２５ｂによってランプ本体１１の上部に流通して各部を冷却した後、ランプ本体１１の下部周辺に導かれて、排気口４２３ｂから排気される。
【００４１】
なお、以上で説明した光源装置１において、リフレクタ１３は、放物面とすることができ、この場合、凹レンズ１５を省略することができる。
【００４２】
また、光源装置１では、整流板１７４，４１５，４３５，４２５ａ，４２５ｂはハウジング１７，４０１，４１１，４３１，４２１と別体で設けられていたが、ハウジング１７，４０１，４１１，４３１，４２１の内部に整流板と同じ形状を一体形成しても良い。
【００４３】
〔第２実施形態〕
図７は、第１実施形態で説明した光源装置を組み込んだプロジェクタの光学系の構成を説明する概念図である。本プロジェクタ２００は、図１の光源装置１と、光源光を均一化して射出する均一化光学系２０と、均一化光学系２０を経た光源光を赤緑青の３色に分割する色分離光学系３０と、色分離光学系３０から射出された各色の光源光によって照明される光変調部４０と、光変調部４０からの各色の像光を合成するクロスダイクロイックプリズム５０と、クロスダイクロイックプリズム５０を経た像光を不図示のスクリーンに投射するための投射光学系である投射レンズ６０とを備え、これらを光軸ＯＡに沿って順に配置して構成されている。
【００４４】
光源装置１は、第１実施形態で説明したように、ランプ本体１１と、リフレクタ１３と、凹レンズ１５と、リフレクタ１３及び凹レンズ１５を固定するハウジング１７（４０１，４１１，４３１，４２１）を含む。そして、図２に示して説明した冷却構造を備え、この冷却構造によって、ランプ本体１１の各部が適切に冷却されてランプ本体１１周辺の温度分布が均一に保たれるようになっている。
【００４５】
均一化光学系２０は、一対の第１レンズアレイ２３ａ及び第２レンズアレイ２３ｂと、偏光変換部材２４と、重畳レンズ２５とを備える。一対の第１レンズアレイ２３ａ及び第２レンズアレイ２３ｂは、マトリクス状に配置された複数の要素レンズからなり、これらの要素レンズによって光源装置１からの光源光を分割して個別に集光・発散させる。偏光変換部材２４は、第２レンズアレイ２３ｂから射出した光源光を例えば図８の紙面に垂直なＳ偏光成分のみに変換して次段光学系に供給する。重畳レンズ２５は、偏光変換部材２４を経た光源光を全体として適宜収束させる。そして、重畳レンズ２５とを経た光源光は、色分離光学系３０を経て、光変調部４０に設けられた各色の液晶パネル４１ａ，４１ｂ，４１ｃを均一に重畳照明する。
【００４６】
色分離光学系３０は、第１及び第２ダイクロイックミラー３１ａ，３１ｂと、補正光学系である３つのフィールドレンズ３３ａ，３３ｂ，３３ｃと、反射ミラー３５ａ，３５ｂ，３５ｃ，３５ｄとを備える。ここで、第１ダイクロイックミラー３１ａは、赤緑青の３色のうち例えば赤光及び緑光を反射し青光を透過させる。また、第２ダイクロイックミラー３１ｂは、入射した赤及び緑のうち例えば緑光を反射し赤光を透過させる。この色分離光学系３０において、光源装置１からの略白色の光源光は、反射ミラー３５ａで光路を折り曲げられて第１ダイクロイックミラー３１ａに入射する。そして、第１ダイクロイックミラー３１ａを通過した青光は、例えばＳ偏光のまま、反射ミラー３５ｂを経てフィールドレンズ３３ａに入射する。また、第１ダイクロイックミラー３１ａで反射されて第２ダイクロイックミラー３１ｂでさらに反射された緑光は、例えばＳ偏光のままフィールドレンズ３３ｂに入射する。さらに、第２ダイクロイックミラー３１ｂを通過した赤光は、例えばＳ偏光のまま、レンズＬＬ１，ＬＬ２及び反射ミラー３５ｃ，３５ｄを経て、入射角度を調節するためのフィールドレンズ３３ｃに入射する。レンズＬＬ１，ＬＬ２及びフィールドレンズ３３ｃは、リレー光学系を構成している。このリレー光学系は、第１レンズＬＬ１の像を、第２レンズＬＬ２を介してほぼそのままフィールドレンズ３３ｃに伝達する機能を備えている。
【００４７】
光変調部４０は、３つの液晶パネル４１ａ，４１ｂ，４１ｃと、各液晶パネル４１ａ，４１ｂ，４１ｃを挟むように配置される３組の偏光フィルタ４３ａ，４３ｂ，４３ｃとを備える。ここで、青光用の液晶パネル４１ａと、これを挟む一対の偏光フィルタ４３ａ，４３ａとは、光源光のうち青光を画像情報に基づいて２次元的に輝度変調するための青光用の液晶ライトバルブを構成する。同様に、緑光用の液晶パネル４１ｂと、対応する偏光フィルタ４３ｂ，４３ｂとは、緑光用の液晶ライトバルブを構成し、赤光用の液晶パネル４１ｃと、偏光フィルタ４３ｃ，４３ｃとは、赤光用の液晶ライトバルブを構成する。
【００４８】
青光用の液晶パネル４１ａには、色分離光学系３０の第１ダイクロイックミラー３１ａで反射されることによって分岐された青光が、フィールドレンズ３３ａを介して入射する。緑光用の液晶パネル４１ｂには、色分離光学系３０の第２ダイクロイックミラー３１ｂで反射されることによって分岐された緑光が、フィールドレンズ３３ｂを介して入射する。赤光用の液晶パネル４１ｃには、第２ダイクロイックミラー３１ｂを透過することによって分岐された赤光が、フィールドレンズ３３ｃを介して入射する。各液晶パネル４１ａ，４１ｂ，４１ｃにそれぞれ入射した３色の光は、各液晶パネル４１ａ，４１ｂ，４１ｃに電気的信号として入力された駆動信号或いは画像信号に応じて変調される。その際、偏光フィルタ４３ａ，４３ｂ，４３ｃによって、各液晶パネル４１ａ，４１ｂ，４１ｃに入射する光源光の偏光方向が正確に調整されるとともに、各液晶パネル４１ａ，４１ｂ，４１ｃから射出される変調光から所定の偏光方向の成分光が像光として取り出される。
【００４９】
クロスダイクロイックプリズム５０は、光合成部材であり、４つの直角プリズムを貼り合わせた平面視略正方形状をなし、直角プリズム同士を貼り合わせた界面には、Ｘ字状に交差する一対の誘電体多層膜５１ａ，５１ｂが形成されている。一方の第１誘電体多層膜５１ａは青光を反射し、他方の第２誘電体多層膜５１ｂは赤光を反射する。このクロスダイクロイックプリズム５０は、液晶パネル４１ａからの青光を第１誘電体多層膜５１ａで反射して進行方向右側に射出させ、液晶パネル４１ｂからの緑光を第１及び第２誘電体多層膜５１ａ，５１ｂを介して直進・射出させ、液晶パネル４１ｃからの赤光を第２誘電体多層膜５１ｂで反射して進行方向左側に射出させる。
【００５０】
投射レンズ６０は、クロスダイクロイックプリズム５０で合成されたカラーの像光を、所望の倍率でスクリーンに投射する。つまり、各液晶パネル４１ａ，４１ｂ，４１ｃに入力された駆動信号或いは画像信号に対応する所望の倍率のカラー動画やカラー静止画がスクリーンに投射される。
【００５１】
上記構成のプロジェクタ２００では、第１実施形態で説明した光源装置１を用いているので、寿命の長い光源装置を組み込んだプロジェクタが実現できる。これにより、光源装置の交換回数を減らすことができる。
【００５２】
なお、上記したプロジェクタ２００では、光源装置１の冷却ファン１７５、４２７ａ，４２７ｂをプロジェクタ２００側に備え、冷却ファン１７５と送風口１７５、４２１ａ，４２１ｂの間をダクトで接続させても良い。
【００５３】
なお、上記したプロジェクタ２００では、均一化光学系２０を、一対の第１レンズアレイ２３ａ及び第２レンズアレイ２３ｂ、偏光変換部材２４、及び重畳レンズ２５で構成したが、第１レンズアレイ２３ａ及び第２レンズアレイ２３ｂ、偏光変換部材２４等については省略することができる。さらに、第１レンズアレイ２３ａ及び第２レンズアレイ２３ｂをロッドインテグレータに置き換えることもできる。
【００５４】
また、上記したプロジェクタ２００では、色分離光学系３０を用いて光源光の色分離を行って、光変調部４０において各色の変調を行った後に、クロスダイクロイックプリズム５０において各色の像の合成を行っているが、単一の液晶パネルにより光変調を行うプロジェクタ、２つの液晶パネルにより光変調を行うプロジェクタ、或いは４つ以上の液晶パネルにより光変調を行うプロジェクタにも同様に適用可能である。
【００５５】
また、色分離光学系３０や光変調部４０に代えて、光源装置１及び均一化光学系２０によって照明されるカラーホイールと、カラーホイールの透過光が照射されるデジタル・マイクロミラー・デバイスとを組み合わせたものを用いることによって、各色の光変調及び合成を行うこともできる。
【００５６】
また、上記の第２実施形態では、透過型のプロジェクタに本発明を適用した場合の例について説明したが、本発明は、反射型プロジェクタにも適用することが可能である。ここで、「透過型」とは、液晶パネル等を含む液晶ライトバルブが光を透過するタイプであることを意味しており、「反射型」とは、液晶ライトバルブが光を反射するタイプであることを意味している。
【００５７】
また、プロジェクタとしては、スクリーンを観察する方向から投射を行うフロントタイプのプロジェクタと、スクリーンを観察する方向とは反対側から投射を行うリアタイプのプロジェクタとがあるが、本発明は何れのタイプのプロジェクタにも適用が可能である。
【００５８】
〔第３実施形態〕
図８（ａ）、図８（ｂ）及び図８（ｃ）は第３実施形態の光源装置及びその冷却構造を説明するための図であり、図８（ａ）は概略斜視図、図８（ｂ）は光射出側すなわち前方からみて左側の概略側面図、図８（ｃ）は概略底面図である。このうち、図８（ｂ）及び図８（ｃ）は、一部断面図であり、ハウジングの部分が断面図となっている。なお、本実施形態の光源装置は、光源としての光学的構造については第１実施形態のものと同様であるので、冷却構造以外の箇所については詳しい説明を省略する。
【００５９】
図８（ａ）〜図８（ｃ）に示すように、光源装置３０１は、リフレクタ３１３及び凹レンズ３１５を固定するためのハウジング３１７を含む。このハウジング３１７には、ランプ本体３１１の下側となる位置とこれに対向する位置すなわち上側となる位置とに、ハウジング３１７の内部と外部とを連通するための送風口３７１ａ，３７１ｂが形成されている。なお、図８（ａ）〜図８（ｃ）は、いずれも、光源装置３０１を通常の状態で設置した場合の図であるが、光源装置３０１は、上下反転させて設置することも可能であり、光源装置３０１を上下反転させた場合、送風口３７１ｂがランプ本体３１１の下側となる。また、光射出側すなわち前方から見てハウジング３１７の正面左側には、外付けされる冷却ファン３７５によって発生する冷却用空気をハウジング３１７内に導入する送気口３７６が形成されている。なお、冷却ファン３７５は、例えばシロッコファンであり、例えばプロジェクタ等の光源装置３０１を取り付ける装置に付随するものである。冷却ファン３７５は、送気口３７６において光源装置３０１と接続され、送気口３７６から冷却用空気をハウジング３１７内へ送り込む。つまり、冷却ファン３７５は、冷却用空気を発生させてハウジング３１７に導入する冷却ファン装置として機能する。また、光射出側すなわち前方から見て右側の側面には、ランプ本体３１１の側方位置に、ハウジング３１７の内部と外部とを連通する排気口３７３が形成されている。
【００６０】
さらに、光源装置３０１において、送風口３７１ａ，３７１ｂの開閉を行うための一対の開閉シャッター３７４ａ，３７４ｂが送風口３７１ａ，３７１ｂのそれぞれに対応して対向する位置に配置されている。一対の開閉シャッター３７４ａ，３７４ｂは、光源側のエッジ部分にそれぞれヒンジ３７７ａ，３７７ｂを備え、当該エッジ部分を支点として回転可能に取り付けられている。一対の開閉シャッター３７４ａ，３７４ｂは、重力によりそれぞれ送風口３７１ａ，３７１ｂを開閉して、どちらか一方のみを開放状態にする。より具体的には、図８（ｂ）等に示すように、送風口３７１ａが下側となるように光源装置３０１を配置すると、ランプ本体３１１の下側となる開閉シャッター３７４ａは、重力の作用により図８（ｂ）において点線に示す位置から実線に示す位置に回転する。これにより、開閉シャッター３７４ａは、送風口３７１ａを開放する。一方、ランプ本体３１１の上側となる開閉シャッター３７４ｂは、重力の作用によって回転することで送風口３７１ｂを閉塞する。この結果、送風口３７１ａ，３７１ｂのうち、送風口３７１ａのみから冷却用空気が装置内部に導入される。この際、送風口３７１ａから導入される冷却用空気は、第２の整流部であるルーバ３７２ａにより風向を調整される。一方、送風口３７１ｂを閉塞した開閉シャッター３７４ｂは、送風口３７１ａから装置内部に導入された冷却用空気を整流する第１の整流部の一部として機能する。つまり、この場合、開閉シャッター３７４ｂとその周辺部分とによって第１の整流部が構成され、送風口３７１ａから導入された冷却用空気の流路が形成される。
【００６１】
ここで、光源装置３０１を上下反転させた場合、上記の場合とは逆に、各開閉シャッター３７４ａ，３７４ｂは、いずれも図８（ｂ）において点線に示す位置に回転する。これにより、送風口３７１ｂが開放され、送風口３７１ａが閉塞される。従って、この場合、送風口３７１ａからのみ冷却用空気が内部に導入され、この際、冷却用空気は、第２の整流部であるルーバ３７２ｂにより風向を調整される。以上のように、一対の開閉シャッター３７４ａ，３７４ｂは、送風口３７１ａ，３７１ｂを開閉する動作を行うことにより冷却用空気の流れを切り替える切替装置として機能する。
【００６２】
図９は、本実施形態の光源装置の変形例について説明する概念図であり、光射出側すなわち前方からみて左側の概略側面図である。なお、図９は、一部断面図であり、ハウジングの部分が断面図となっている。本変形例の光源装置４０１は、内部と外部とを連通する排気口４７３を、ハウジング４１７側ではなく、リフレクタ４１３の側面に形成している。つまり、本変形例では、光射出側すなわち前方から見てリフレクタ４１３の右側の側面に、リフレクタ４１３の内部と外部とを連通する排気口４７３が形成されている。なお、排気口４７３の形成位置を除いて他の構成については図８の光源装置３０１と同様であるので説明を省略する。
【００６３】
図１０は、光源装置の冷却構造の変形例を説明する図である。図１０（ａ）は、光源装置の概略正面図であり、図１０（ｂ）は、光源装置の概略上面図である。このうち、図１０（ｂ）は、一部断面図であり、ハウジングの部分が断面図となっている。本変形例において、光源装置５０１は、光射出側から見て左側の側面及び右側の側面に、ハウジング５１７の内部と外部とを連通する排気口５７３ａ，５７３ｂが形成されている。なお、排気口５７３の形成位置を除いて他の構成については図８の光源装置３０１と同様であるので説明を省略する。
【００６４】
本変形例の冷却構造は、ハウジング５１７に具備される送風口５７１ａ、排気口５７３ａ，５７３ｂ、及び整流板５２５ａ，５２５ｂのほか、送風口５７３ａ，５７３ｂを介して光源装置５０１の内部に冷却用空気を送り込むことによって構成される。なお、この場合、冷却用空気は、送気口５７６に合わせて取り付けられる外部装置である冷却ファン５７５により送風される。図１０（ａ）及び図１０（ｂ）中の矢印で示すように、冷却ファン５７５によって送気口５７６を介してハウジング５１７に導入された冷却用空気は、ハウジング５１７下面側の送風口５７１ａから左右に分かれて装置内部に導入され、対向するハウジング５７５上面側の整流板５２５ａ，５２５ｂに向けて流通される。そして、整流板５２５ａ，５２５ｂにより、ランプ本体５１１の上部から下部周辺に導かれて、排気口５７３ａ，５７３ｂから排気される。
【００６５】
〔第４実施形態〕
図１１は、第４実施形態の光源装置について説明する概念図である。本実施形態の光源装置６０１は、ランプ本体６１１の各部を冷却する冷却構造を備える。図１１（ａ）及び図１１（ｂ）は、この冷却構造を説明するための図であり、図１１（ａ）は光源装置６０１を光射出側すなわち前方からみて左側の概略側面図、図１１（ｂ）は概略底面図である。なお、光源装置６０１は、光源としての光学的構造については第１実施形態のものと同様であるので冷却構造以外の箇所については詳しい説明を省略する。
【００６６】
光源装置６０１は、リフレクタ６１３及び凹レンズ６１５を固定するためのハウジング６１７を含む。このハウジング６１７には、ランプ本体６１１の下側となる位置とこれに対向する位置すなわち上側となる位置とに、ハウジング３１７の内部と外部とを連通するための送風口６７１ａ，６７１ｂが形成されている。なお、図１１（ａ）及び図１１（ｂ）はいずれも、光源装置６０１を通常の状態で設置した場合の図であるが、光源装置６０１は、上下反転させて設置することも可能である。また、送風口６７１ａ，６７１ｂには、冷却用空気を発生する外部装置である冷却ファン６７５ａ，６７５ｂがそれぞれ取り付けられている。なお、冷却ファン６７５ａ，６７５ｂは、例えばシロッコファンである。また、光射出側すなわち前方から見て左側の側面には、ハウジング６１７の内部と外部とを連通する通気口である排気口６７３が形成されている。
【００６７】
さらに、ハウジング６１７の内部には、送風口６７１ａ，６７１ｂの開閉を行うためのシャッターリング６７４が設置されている。シャッターリング６７４は、一定幅を有するリング形状であり、当該一定幅の側面にはハウジング６１７の送風口６７１ａ，６７１ｂ及び排気口６７３に対応させるために所定の間隔で複数の開口６７４ａ，６７４ｂが形成されている。また、リング形状のシャッターリング６７４の中心軸は、ランプ本体６１１の光軸に一致している。シャッターリング６７４は、ギア等（不図示）により噛み合っている円筒状の回転駆動装置６７６が駆動回路６７７からの信号に従って回転することでランプ本体６１１の光軸を中心として軸回転可能であり、駆動回路６７７からの信号に応じてシャッターリング６７４の回転位置を所望の角度に制御することができる。シャッターリング６７４は、この回転位置の制御により、２つの開口６７４ａ，６７４ｂの位置を送風口６７１ａ又は６７１ｂあるいは排気口６７３に合わせることができる。
【００６８】
図１２は、シャッターリング６７４の動作について説明するための概念図である。図１２（ａ）及び図１２（ｂ）は、いずれも光源装置６０１を光射出側すなわち前方からみた正面概略図であり、図１２（ａ）は光源装置６０１を通常の状態で設置した場合の図を示しており、図１２（ｂ）は光源装置６０１を上下反転させた状態で設置した場合の図を示している。なお、図１２中において示している上下方向とは重力方向についてのものであり、図中矢印に示す下方向が重力方向である。シャッターリング６７４の開口６７４ａと開口６７４ｂとは、シャッターリング６７４の中心軸からみて９０°の間隔で設けられている。シャッターリング６７４は、図１２（ａ）に示すように、光源装置６０１を通常の状態で設置した場合、シャッターリング６７４の開口６７４ａ，６７４ｂのうち、開口６７４ａが送風口６７１ａに対応し、開口６７４ｂが排気口６７３に対応している。この場合、２つの冷却ファン６７５ａ，６７５ｂのうち、冷却ファン６７５ａにより冷却用空気を発生させることにより、送風口６７１ａから開口６７４ａを介して導入された冷却用空気がランプ本体６１１の下側から装置内部に導入される。また、冷却用空気は、装置内部を冷却した後、排気口６７３から開口６７４ｂを介して排気される。なお、この際、送風口６７１ｂは、シャッターリング６７４の側面により閉塞された状態となっている。
【００６９】
一方、図１２（ｂ）に示すように、光源装置６０１を上下反転させた状態で設置した場合、図１２の紙面上方向が重力方向即ち下側となる。この場合、図１２（ａ）及び図１２（ｂ）に示すように、シャッターリング６７４を光源装置６０１に対して時計回りの方向に９０°回転させる。これにより、シャッターリング６７４の開口６７４ａ，６７４ｂのうち、開口６７４ｂが送風口６７１ｂに対応し、開口６７４ａが排気口６７３に対応した状態とすることができる。従って、この場合、２つの冷却ファン６７５ａ，６７５ｂのうち、冷却ファン６７５ｂにより冷却用空気を発生させることにより、送風口６７１ｂから開口６７４ｂを介して導入された冷却用空気がランプ本体６１１の下側から装置内部に導入される。また、冷却用空気は、装置内部を冷却した後、排気口６７３から開口６７４ａを介して排気される。なお、この際、送風口６７１ａは、シャッターリング６７４の側面により閉塞された状態となっている。従って、光源装置６０１を上下反転させて設置した場合においても、ランプ本体６１１の下側となる送風口６７１ｂに開口６７４ｂを対応させて、通常に設置した場合と同様に適切な冷却を行うことができる。
【００７０】
図１３は、本実施形態の光源装置の変形例について説明する概念図である。図１３（ａ）及び図１３（ｂ）は、いずれもシャッターリング７７４の動作について説明するための概念図であり、図１３（ａ）は光源装置７０１を通常の状態で設置した場合の図を示しており、図１３（ｂ）は光源装置７０１を上下反転させた状態で設置した場合の図を示している。図１３上での上下方向は矢印で記載された方向となる。本変形例の光源装置７０１のシャッターリング７７４には、ハウジング７１７の送風口７７１ａ，７７１ｂ及び排気口７７３に対応するように所定の間隔で４つの開口７７４ａ，７７４ｂ，７７４ｃ，７７４ｄが形成されている。なお、光源装置７０１の構造は、複数の開口７７４ａ，７７４ｂ，７７４ｃ，７７４ｄの形成位置を除いた他の構成については図１１及び図１２に示した光源装置６０１の構造と同様であるので説明を省略する。
【００７１】
シャッターリング７７４の開口７７４ａ，７７４ｂ，７７４ｃ，７７４ｄは、シャッターリング７７４の中心軸からみて４５°の間隔で設けられている。従って、例えば開口７７４ａと開口７７４ｃとはシャッターリング７７４の中心軸からみて９０°の間隔で設けられている。シャッターリング７７４は、図１３（ａ）に示すように、光源装置７０１を通常の状態で設置した場合、開口７７４ａが送風口７７１ａに対応し、開口７７４ｃが排気口７７３に対応している。この場合、外部装置である２つの冷却ファン７７５ａ，７７５ｂのうち、冷却ファン７７５ａにより送風口６７１ａから開口６７４ａを介して導入された冷却用空気が装置内部に導入され、ランプ本体７１１を冷却し、排気口７７３から開口７７４ｃを介して排気される。なお、この際、送風口７７１ｂは、シャッターリング６７４の側面により閉塞された状態となっている。また、開口７７４ｂ，７７４ｄはハウジング７１７の内壁により閉塞されている。
【００７２】
一方、図１３（ｂ）のように、光源装置７０１を上下反転させた状態で設置した場合、図１３（ａ）及び図１３（ｂ）に示すように、シャッターリング７７４を光源装置７０１に対して時計回りの方向に４５°回転させる。これにより、開口７７４ｄが送風口６７１ｂに対応し、開口７７４ｂが排気口７７３に対応した状態とすることができる。従って、この場合、２つの冷却ファン７７５ａ，７７５ｂのうち、冷却ファン７７５ｂにより冷却用空気を発生させることにより、送風口７７１ｂから開口７７４ｄを介して導入された冷却用空気が装置内部に導入され、排気口７７３から開口７７４ｂを介して排気される。なお、この際、送風口７７１ａは、シャッターリング７７４の側面により閉塞された状態となっている。また、開口７７４ａ，７７４ｃはハウジング７１７の内壁により閉塞されている。従って、光源装置６０１を上下反転させて設置した場合においても、ランプ本体６１１の下側となる送風口６７１ｂに開口６７４ｂを対応させて、通常に設置した場合と同様に適切な冷却を行うことができる。
【００７３】
〔第５実施形態〕
図１４は、第３実施形態で説明した光源装置を組み込んだプロジェクタの光学系の構成を説明する概念図である。なお、本プロジェクタ８００は、図７のプロジェクタ２００の光源装置１にかえて光源装置３０１（４０１，５０１）を組み込んだものである。従って、光源装置３０１（４０１，５０１）以外の光学系については、図７のプロジェクタ２００と同様であるので説明を省略する。プロジェクタ８００は、光源装置として光源装置３０１（４０１，５０１）を用いていることで、寿命の長い光源装置を組み込んだものであり、かつ、例えば天吊りを行うタイプのように、通常の使用とは上下反転させて用いることを可能にするプロジェクタが実現できる。なお、ここで、冷却ファン３７５（５７５）はプロジェクタ８００側に取り付けられており、光源装置３０１（４０１，５０１）をプロジェクタ８００に組みこんだ時に冷却ファン３７５（５７５）の送風口と光源装置３０１（４０１，５０１）の送気口が対向配置する構成となっている。また、この場合、冷却ファン３７５（５７５）として比較的小型化が可能なシロッコファン等を用いることにより後段の光学系の光路を遮ることなく光源装置を設置することができる。また、プロジェクタに用いる光源装置として、第４実施形態の光源装置を適用することも可能であり、例えば光源装置３０１にかえて図１１の光源装置６０１等を設置してもよい。なお、この場合、光源装置６０１等に適合するようにプロジェクタ８００には、冷却ファン６７５ａ，６７５ｂ等が取り付けられている。また、本プロジェクタ８００は、図７のプロジェクタ２００と同等の光学系を用いることが可能であるので、第２実施形態の場合と同様に、例えば第１レンズアレイ２３ａ及び第２レンズアレイ２３ｂをロッドインテグレータに置き換えることや、４つ以上の液晶パネルにより光変調を行うプロジェクタにも同様に適用させること等も可能である。冷却ファン３７５，４０１，５７５，６７５ａ、６７５ｂは光源装置３０１に取り付けても良い。また、プロジェクタとしては、スクリーンを観察する方向から投射を行うフロントタイプのプロジェクタと、スクリーンを観察する方向とは反対側から投射を行うリアタイプのプロジェクタとがあるが、本発明は何れのタイプのプロジェクタにも適用が可能である。
【図面の簡単な説明】
【００７４】
【図１】第１実施形態の光源装置の内部構成を説明する断面図である。
【図２】光源装置の冷却構造を説明するための説明図である。
【図３】冷却用空気の流路を説明するための図である。
【図４】ハウジングの構成の変形例を説明する図である。
【図５】ハウジングの構成の他の変形例を説明する図である。
【図６】光源装置の冷却構造の変形例を説明する図である。
【図７】第１実施形態で説明した光源装置を組み込んだ第２実施形態のプロジェクタの光学系の構成を説明する概念図である。
【図８】第３実施形態の光源装置の冷却構造を説明するための説明図である。
【図９】光源装置の構成の変形例を説明する図である。
【図１０】ハウジングの構成の変形例を説明する図である。
【図１１】第４実施形態の光源装置を説明する図である。
【図１２】光源装置の構成の変形例の動作を説明する図である。
【図１３】光源装置の構成の他の変形例の動作を説明する図である。
【図１４】第３実施形態で説明した光源装置を組み込んだ第５実施形態のプロジェクタの光学系の構成を説明する概念図である。
【符号の説明】
【００７５】
１…光源装置  １１…ランプ本体  １１１…発光部  １１２，１１３…第１及び第２封止部  １１４，１１５…電極  １１６ａ，１１６ｂ…金属箔  １１７ａ，１１７ｂ…リード線  １１８…副反射鏡  １１９…副反射部  １２０…支持部  １３…リフレクタ  １３１…首状部  １３２…主反射部  １５…凹レンズ  １７…ハウジング  １７１…送風口  １７２…ルーバ  １７３…排気口  １７４…整流板  １７５…冷却ファン
【図１】
2008250287.tif 000003
【図２】
2008250287.tif 000004
【図３】
2008250287.tif 000005
【図４】
2008250287.tif 000006
【図５】
2008250287.tif 000007
【図６】
2008250287.tif 000008
【図７】
2008250287.tif 000009
【図８】
2008250287.tif 000010
【図９】
2008250287.tif 000011
【図１０】
2008250287.tif 000012
【図１１】
2008250287.tif 000013
【図１２】
2008250287.tif 000014
【図１３】
2008250287.tif 000015
【図１４】
2008250287.tif 000016